【手続補正書】
【提出日】平成19年5月18日(2007.5.18)
【手続補正１】
【補正対象書類名】明細書
【補正対象項目名】全文
【補正方法】変更
【補正の内容】
【書類名】  明細書
【発明の名称】  電気掃除機
【特許請求の範囲】
【請求項１】  掃除機の作業要素である電動送風機と、集塵箱ユニットとを本体ノズル部に集約し、ハンドルは前記本体ノズル部に結合されている掃除機で、前記本体ノズル部の本体上部材、もしくは、本体下部材の一部を別部品にて構成し、前記掃除機の作業要素を前記本体ノズル部の本体上部材、もしくは、本体下部材と前記別部品により支持した電気掃除機。
【請求項２】  掃除機の作業要素である電動送風機と、集塵箱ユニットと、回転ブラシなどを有する吸塵口とを本体ノズル部に集約し、ハンドルは前記本体ノズル部に結合されている掃除機で、回転ブラシ室から塵埃を前記集塵箱ユニットへ導くための吸塵口を、回転ブラシ室の反ベルト側で前記集塵箱ユニットの高さ方向に対して略中央より上方に構成した電気掃除機。
【請求項３】  本体把手部の上面に、少なくとも２つの面を構成し、一方の面は、本体把手部を本体前方に倒した時に、本体ノズル部前方上面につながる面であり、他方の面は、前記本体把手部を倒した時に、接地面と平行な平面となる電気掃除機。
【請求項４】  本体把手部を回動させて、スイッチを動作する電気掃除機で、本体把手部を水平状態もしくは、それ以上倒すと前記スイッチが切れる電気掃除機。
【請求項５】  本体把手部の回動軸部にスイッチを設け、前記本体把手部を回動することにより前記スイッチを動作させる電気掃除機。
【請求項６】  掃除機の作業要素である電動送風機と、集塵箱ユニットと、回転ブラシとを本体ノズル部に集約し、ハンドルは前記本体ノズル部に結合されている掃除機で、充電接続部に端子、スイッチを組込み本体横壁で前記スイッチの抜け止めをした電気掃除機。
【請求項７】  集塵機構を有する本体ノズル部に、回動自在に取りつけたハンドル部の軸支持部に、上下方向のガタをもたせ、本体ノズル部の本体上部材に構成されたバネ部材Ａとハンドル部の足部を係合させ本体に対して前記ハンドルを支持した電気掃除機。
【請求項８】  ハンドル部の足部を常に下方より上方に付勢するバネ部材Ｂを設けた請求項７記載の電気掃除機。
【請求項９】  電動送風機と、回転ブラシとを備え、前記電動送風機と、前記回転ブラシをつなぐベルトを配設したベルト室を排気通路とした電気掃除機。
【請求項１０】  掃除機の作業要素である電動送風機と、集塵箱ユニットと、回転ブラシとを本体ノズル部に集約し、前記本体ノズル部にハンドルを結合した掃除機で、前記集塵箱ユニットを本体の側方に設けた開口部より着脱自在に配した電気掃除機。
【請求項１１】  集塵箱ユニットを集塵箱本体と、集塵箱本体に着脱自在に取りつけられるフィルターユニットとで構成し、前記集塵箱ユニットを覆う形で本体ノズル部上面にマド部を設け、前記マド部と本体下部材もしくは本体上部材とで囲まれた空間に前記集塵箱ユニットを挿入した請求項１０記載の電気掃除機。
【請求項１２】  マド部に１個、もしくは、複数個の孔部を設けた請求項１１記載の電気掃除機。
【請求項１３】  本体下部部材に凸部を設け、集塵箱ユニット下面に前記凸部に対したリブを配し、集塵箱ユニットのロック構成を設けた請求項１１記載の電気掃除機。
【請求項１４】  機能部品である電動送風機と、集塵箱ユニットと、回転ブラシを本体前方の第一の外郭形状部に設け、ハンドル、スイッチなどの使用性にまつわる部品を本体後方の第二の外郭形状部に収めた電気掃除機。
【請求項１５】  本体ノズル部に電動送風機からの排気を吸込み室に排気する排気循環方式を構成した請求項１〜６のいずれか一項記載の電気掃除機。
【請求項１６】  本体ノズル部及び／またはハンドルに電源用電池を設けた請求項１〜１５のいずれか一項記載の電気掃除機。
【請求項１７】  掃除機の作業要素である電動送風機と、集塵箱ユニットと、回転ブラシとを本体ノズル部に集約し、ハンドルは前記本体ノズル部に結合されている掃除機で、電源用電池と前記電動送風機を前記本体ノズルの左右に配列した電気掃除機。
【請求項１８】  電源用電池と前記電動送風機を前記本体ノズルの左右に配列し、前記集塵箱ユニットと前記回転ブラシとを略平行に配列した請求項１７記載の電気掃除機。
【請求項１９】  本体ノズル部の電動送風機からの排気を回転ブラシ室に排気する排気循環方式を構成した請求項１７または１８記載の電気掃除機。
【請求項２０】  ハンドル及び本体ノズル部に電源用電池を設けた請求項１７〜１９のいずれか一項記載の電気掃除機。
【請求項２１】  電動送風機と、回転ブラシと、減速部とを本体ノズル部に集約し、前記電動送風機の回転を減速部で減速させ、さらに、前記回転ブラシでもう一段減速する請求項１〜２０のいずれか一項記載の電気掃除機。
【発明の詳細な説明】
【０００１】
【発明の属する技術分野】
本発明は、一般家庭用の電気掃除機に関するものである。
【０００２】
【従来の技術】
従来の電気掃除機を図１７、図１８を用いて説明する。
【０００３】
従来の電気掃除機は、特開平９−１９２０５６に示されるものであり、掃除機の作業要素である電動送風機１０１、集塵箱本体１１２とフィルターユニット１１３より成る集塵箱ユニット１０２、回転ブラシ１０３を本体ノズル部１０４に集約し、ハンドル１０５は本体ノズル部１０４に結合されている電気掃除機で、本体ノズル部１０４の外郭を本体上部材１０６と本体下部材１０７により構成し、作業要素である電動送風機１０１、集塵箱ユニット１０２、回転ブラシ１０３を上部材１０６と下部材１０７により支持、あるいは、保持しているものであった。この構成では、補修等の場合に本体ノズル部１０４の上部材１０６と下部材１０７を締結しているネジをすべて外さなくては補修、また、内部チェックすることができなかった。また、近年は、本体ノズル部１０４上部材１０６にはデザイン性から一体感をだすため部品の分割線が入らないようにしている。
【０００４】
また、本体ノズル部１０４内の回転ブラシ室１０８に設けられて集塵箱ユニット１０２につながる吸塵口１０９を、本体ノズル部１０４中央部に設けて、回転ブラシ１０３により塵埃を床面より掻き出し、集塵箱ユニット１０２に吸い込んでいる。電動送風機１０１からの吸引通路１１０は、集塵箱ユニット１０２の後方略中央よりベルト側に設けてある。塵埃は回転ブラシ１０３により床面より掻き出され、吸塵口１０９を通り、集塵箱ユニット１０２の中に入るが電動送風機１０１からの吸引通路１１０につながる集塵箱ユニット１０２の排気口１１１と吸塵口１０９が位置的にずれが少ないため塵埃が中央から堆積していき集塵箱ユニット１０２の隅部に堆積せず、集塵箱ユニット１０２には十分に塵埃が溜まっていないのに塵埃を吸い込まないことがあった。
【０００５】
また、本体スイッチ１１４は、本体ノズル部１０４の下部材に取りつけられて足ペダル１１５によりＯＮ、ＯＦＦするようになっている。本体スイッチ１１４は、電動送風機１０１に、回転ブラシ１０３駆動用の第二のモーター１１６、また、電源用電池１１８、および、電源用電池１１８を充電器につなぐ充電接続部１２０にリードセンでつながっている。
【０００６】
また、電源用電池１１８と電動送風機１０１は、本体ノズル部１０４内で中央より片側に揃って位置している。
【０００７】
また、電動送風機１０１の排気は、本体ノズル部１０４の本体上部材１０６に設けた本体排気口１２２より排出される。本体排気口１２２には、排気フィルター１２３が取りついていて、排気より塵埃を取り除き、きれいにして機外へ出している。
【０００８】
【発明が解決しようとする課題】
しかし、上記構成では、本体ノズル部１０４に問題がある場合には、本体ノズル部１０４をとめているねじをすべて外さないと、内部を確認することができず、分解して内部を確認するのに非常に手間がかかるという課題があった。
【０００９】
また、塵埃が吸込口１０９から集塵箱ユニット１０２内にはいっていくが、集塵箱ユニット１０２の排気口１１１が本体中央と位置的にずれが少なく変化がないために、集塵箱ユニット１０２の吸込口１０９と排気口１１１を結んだ線上に塵埃が溜まりやすく、性能を低下させる課題があった。
【００１０】
また、製品組み立てに際しては、本体スイッチ１１４、充電接続部１２０とが離れているため、長くリードセン１２１を引き回さなくてはならず、組み立て性が悪いという課題があった。
【００１１】
また、電動送風機１０１と、電池１１８が同じ場所に上下に配置されており本体ノズル部４の片側に重心が片寄った構成となっているため、持ち運び、使用性が悪いという課題があった。
【００１２】
また、本製品の持ち運び時に、ハンドル１０５を持ち上げると、本体ノズル部１０４には本体ノズル部１０４と、ハンドル１０５をロックするものがないため、常に本体ノズル部１０４がだらりと下方へ倒れてしまう。このため、持ち運びに際して使用者は、ほんの少し本体を持ち上げるだけではなく、本体ノズル部１０４の奥行き分だけ持ち上げないと、持ち上げたことにならず、持ち運びしにくいという課題があった。また、本体ノズル部１０４とハンドル１０５をロックする構成をとった場合には、ロックの保持力は十分であるが、使用するときに本体ノズル部１０４を踏んでロックを解除することが必要になり、使い勝手が悪いという課題があった。
【００１３】
また、近年、排気については、掃除機から外に出さないことが主流になってきており、この構成では排気が機外に出て、環境に対してよくないという課題があった。
【００１４】
また、本体ノズル部１０４の中央部にある凹部に集塵箱ユニット１０２を装着する構成では、デザイン性から集塵箱ユニット１０２の取っ手部を中央に形成する必要性が出てきて、集塵箱ユニット１０２の集塵容量が少なくなるということがあった。また、強度的にも、上方開口のためそこに部品がなく弱いというという課題があった。
【００１５】
また、この商品はハンドル１０５が取りついた完成品の状態で梱包されているが、近年、製品は小型軽量化の傾向があり、梱包才数をおさえるようになっている。さらに、補修を行う場合、ハンドル１０５のロックがないので、商品を水平状態にして、使用者が腰を屈めて作業を行い、作業しにくいという課題があった。
【００１６】
また、足ペダル１１５を踏むことにより本体スイッチ１１４を入りきりすることができるが、足を使用することが困難であったり、また、この場合左利きの足では使いにくいという課題があった。
【００１７】
また、回転ブラシ１０３を回転させるために第二のモーター１１６を使っていることにより、重くなり、近年の小型軽量化の傾向から外れているという課題があった。
【００１８】
本発明はこれらの課題を解決するもので、補修性の向上、使用性の向上、作業性の向上、性能の向上、梱包才数の低減、収納スペースの低減、重量の低減を図ることを目的とする。
【００１９】
【課題を解決するための手段】
上記目的を達成するために、第１の手段は、掃除機の作業要素である電動送風機と、集塵箱ユニットと、回転ブラシとを本体ノズル部に集約し、ハンドルは前記本体ノズル部に結合されている掃除機で、前記本体ノズル部の上部品、もしくは、下部品の一部を別部品にて構成し、前記掃除機の作業要素を前記本体ノズル部の上部品、もしくは、下部品と別部品より支持するようにしたことである。
【００２０】
これにより、すべてのねじを外す事なく補修することができ、補修性を向上させた電気掃除機を提供する。
【００２１】
第２の手段は、掃除機の作業要素である電動送風機と、集塵箱ユニットと、回転ブラシなどを有する吸塵口とを本体ノズル部に集約し、ハンドルは前記本体ノズル部に結合されている掃除機で、回転ブラシ室から塵埃を前記集塵箱ユニットへ導くための吸塵口を、回転ブラシ室の反ベルト側で前記集塵箱ユニットの高さ方向に対して略中央より上方に構成するようにしたことである。
【００２２】
これにより、塵埃こぼれが少なく、使用性が向上し、また、性能の向上した電気掃除機を提供する。
【００２３】
第３の手段は、本体把手部の上面に、少なくとも２つの面を構成し、１つの面は、本体把手部を本体前方に倒した時に、本体ノズル部前方上面につながる面であり、他の面は、前記本体把手部を倒した時に、接地面と平行な平面を設けたことである。
【００２４】
これにより、補修がしやすく、かつ、梱包才数を低減した電気掃除機を提供する。
【００２５】
第４の手段は、本体把手部を回動させて、本体スイッチを動作する電気掃除機で、本体をフラット状態もしくは、それ以上に倒すと本体スイッチが切れることである。
【００２６】
これにより、収納時のスペースを低減した電気掃除機を提供する。
【００２７】
第５の手段は、本体把手部の回動軸部にスイッチを設け、本体把手部を回動することにより前記スイッチを動作させたことである。
【００２８】
これにより、使用性の向上した電気掃除機を提供する。
【００２９】
第６の手段は、掃除機の作業要素である電動送風機と、集塵箱ユニットと、回転ブラシとを本体ノズル部に集約し、ハンドルは前記本体ノズル部に結合されている掃除機で、充電接続部に端子、スイッチを組み込み本体横壁でスイッチの抜け止めをしたことである。
【００３０】
これにより、組み立て性の向上を図った電気掃除機を提供する。
【００３１】
第７の手段は、集塵機構を有する本体ノズル部に、回動自在に取りつけた本体把手部の軸支持部に、上下方向のガタをもたせ、本体ノズル部の本体上部材に構成されたバネ部材Ａと本体把手部の足部を係合させ本体に対して前記本体把手部を支持したことである。
【００３２】
これにより、本体把手部のロック力を向上させ、かつ、使用時に本体ノズル部が持ち上がらない使い勝手のよい電気掃除機を提供する。
【００３３】
第８の手段は、本体把手部の足部に常に下方より上方に力を加えるバネ部材Ｂを設けたことである。
【００３４】
これにより、さらに、使い勝手のよい電気掃除機を提供する。
【００３５】
第９の手段は、電動送風機と、回転ブラシとを備え、前記電動送風機と、前記回転ブラシをつなぐベルトを配設したベルト室を排気通路としたことである。
【００３６】
これにより、排気を機外に出す事なく本体内を循環させることにより、静かで環境にやさしい電気掃除機を提供する。
【００３７】
第１０の手段は、掃除機の作業要素である電動送風機と、集塵箱ユニットと、回転ブラシとを本体ノズル部に集約し、前記本体ノズル部にハンドルを結合した掃除機で、前記集塵箱ユニットを本体の側方に設けた開口部より引き出し自在に配したことである。
【００３８】
これにより、デザインを損ねず、集塵容量も確保した電気掃除機を提供する。
【００３９】
第１１の手段は、前記集塵箱ユニットを集塵箱本体と、集塵箱本体に着脱自在に取りつけられるフィルターユニットとで構成し、この集塵箱ユニットを覆う形で本体上面にマド部を設け、このマド部と本体下部部材もしくは本体上部部材とで囲まれた部屋に集塵箱ユニットを引き出し式に取りつけたことである。
【００４０】
これにより、別部品で開口部を補強するため、強度アップを図った電気掃除機を提供する。
【００４１】
第１２の手段は、機能部品である電動送風機と、集塵箱ユニットと、回転ブラシを本体前方の第一の外郭形状部に設け、本体スイッチ等の使用性にまつわる部品を本体後方の第二の外郭形状部に収めた。
【００４２】
これにより、電動送風機により吸排気を行いエアタイトの必要な部分と、塵埃が侵入してほしくない部分に分け、かつ、スイッチの入り切りと表示部、および補修性を向上した電気掃除機を提供する。
【００４３】
第１３の手段は、掃除機の作業要素である電動送風機と、集塵箱ユニットと、回転ブラシとを本体ノズル部に集約し、ハンドルは前記本体ノズル部に結合されている掃除機で、電池と前記電動送風機を前記本体ノズルの左右に配列したことである。
【００４４】
これにより、重量バランスを均等にして、持ち運び性、使用性を向上した電気掃除機を提供する。
【００４５】
第１４の手段は、電動送風機と、回転ブラシと、減速部とを本体ノズル部に集約し、前記電動送風機の回転を中間プーリーで減速させ、さらに、前記回転ブラシでもう一段減速することである。
【００４６】
これにより、重量を低減し、使い勝手のよい電気掃除機を提供する。
【００４７】
【発明の実施の形態】
本発明の請求項１記載の発明は、掃除機の作業要素である電動送風機と、集塵箱ユニットと、回転ブラシとを本体ノズル部に集約し、前記本体ノズル部に結合されているハンドルには作業要素を持たない掃除機で、前記本体ノズル部の上部品、もしくは、下部品の一部を別部品にて構成し、前記掃除機の作業要素を前記本体ノズル部の上部品、もしくは、下部品と別部品、あるいは、下部品、上部品と別部品により支持するようにし、すべてのねじを外す事なく回転ブラシを交換することができ、電動送風機のチェック補修ができ、補修性を向上させた電気掃除機を提供する。
【００４８】
本発明の請求項２記載の発明は、掃除機の作業要素である電動送風機と、集塵箱ユニットと、回転ブラシなどを有する吸塵口とを本体ノズル部に集約し、前記本体ノズル部に結合されているハンドルには作業要素を持たない掃除機で、回転ブラシ室から塵埃を前記集塵箱ユニットへ導くための吸込口を、回転ブラシ室の反ベルト側で前記集塵箱ユニットの高さ方向に対して略中央より上方に構成し、集塵箱ユニットを取り出して塵埃を捨てるまでで塵埃こぼれが少なく、また、本体持ち運び時での塵埃こぼれも無く、使い勝手がよく、また、性能の向上した電気掃除機を提供する。
【００４９】
本発明の請求項３記載の発明は、本体把手部の上面に、少なくとも２つの面を構成し、１つの面は、本体把手部を本体前方に倒した時に、本体ノズル前方上面につながる面であり、他の面は、前記本体把手部を倒した時に、接地面と平行な平面を設け、補修時には、本体ノズル前方上面につながる面を接地するため、本体ノズル部が角度を持ち補修がしやすく、かつ、梱包時には、本体把手部が接地面と平行になるまで傾くため梱包才数を低減した電気掃除機を提供する。
【００５０】
本発明の請求項４記載の発明は、本体把手部を回動させて、本体スイッチを入りきりする電気掃除機で、本体をフラット状態もしくは、それ以上に倒すと本体スイッチが切れ、収納する時には、本体をフラット状態にして壁に掛けることにより、収納時のスペースを低減した電気掃除機を提供する。
【００５１】
本発明の請求項５記載の発明は、本体把手部の回動軸部にスイッチを設け、本体把手部を回動することにより、回動軸部を上下動させ、さらに、スイッチを入りきりさせ使用性の向上した電気掃除機を提供する。
【００５２】
本発明の請求項６記載の発明は、掃除機の作業要素である電動送風機と、集塵箱ユニットと、回転ブラシとを本体ノズル部に集約し、前記本体ノズル部に結合されているハンドルには作業要素を持たない掃除機で、充電接続部に端子、スイッチを取りつけ組み立て性を簡単にし本体横壁でスイッチの抜け止めをし、組み立て性の向上を図った電気掃除機を提供する。
【００５３】
本発明の請求項７記載の発明は、集塵機構を有する本体ノズル部に、回動自在に取りつけた本体把手部の軸支持部に、上下方向のガタをもたせ、本体内上部に構成されたバネ部材Ａと本体把手部の足部を係合させ本体に対して前記本体把手部を支持し、本体把手部のロック力を向上させ、かつ、使用時に本体ノズル部が持ち上がらない使い勝手のよい電気掃除機を提供する。
【００５４】
本発明の請求項８記載の発明は、本体把手部の足部に常に下方より上方に力を加えるバネ部材Ｂを設け、本体把手部を上方に押し上げ、本体把手部の足部にバネ部材Ａが入りこみ、ハンドルのぐらつきをなくし、安定性がよく、使い勝手のよい電気掃除機を提供する。
【００５５】
本発明の請求項９記載の発明は、電動送風機と、回転ブラシとを備え、前記電動送風機と、前記回転ブラシをつなぐベルトを配設したベルト室を排気通路とし、排気を機外に出す事なく本体内を循環させることにより、環境にやさしい電気掃除機を提供する。
【００５６】
本発明の請求項１０記載の発明は、掃除機の作業要素である電動送風機と、集塵箱ユニットと、回転ブラシとを本体ノズル部に集約し、前記本体ノズル部にハンドルを結合した掃除機で、前記集塵箱ユニットを本体の側方に設けた開口部より引き出し自在に配し、集塵箱ユニットの上面に取っ手を形成することなく、デザインを損ねず、集塵容量も確保した電気掃除機を提供する。
【００５７】
本発明の請求項１１記載の発明は、前記集塵箱ユニットを集塵箱本体と、集塵箱本体に着脱自在に取りつけられるフィルターユニットとで構成し、この集塵箱ユニットを覆う形で本体上面にフタを設け、このフタと本体下部材もしくは本体上部材とで囲まれた部屋に集塵箱ユニットを引き出し式に取りつけ、このフタ部材で開口部を補強し、強度アップを図った電気掃除機を提供する。
【００５８】
本発明の請求項１２記載の発明は、マド部に１個、もしくは、複数個の孔部を設けたことにより、塵埃の溜り具合を確認することができ、使い勝手の良い電気掃除機を提供する。
【００５９】
本発明の請求項１３記載の発明は、本体下部材に凸部を設け、集塵箱ユニット下面に前記凸部に対したリブを配し、集塵箱ユニットのロック構成を設けたことにより、集塵箱ユニットの本体ノズル部からの外れを防止し、使い勝手の良い電気掃除機を提供する。
【００６０】
本発明の請求項１４記載の発明は、電動送風機と、集塵箱ユニットと、回転ブラシを第一の外郭形状部に設け、ハンドルと、スイッチなどを第二の外郭形状部に収め、前記ハンドルの回動にともないスイッチを入りきりするもので、ハンドルの回動軸の何れか一方でスイッチを動作し、他方でハンドルのロック構成を形成し、電動送風機により吸排気を行いエアタイトの必要な部分と、塵埃が侵入してほしくない部分に分け、かつ、スイッチの入り切りと表示部、および補修性を向上した電気掃除機を提供する。
【００６１】
本発明の請求項１５記載の発明は、本体ノズル部に電動送風機からの排気を吸込み室に排気する排気循環方式を構成した請求項１〜６のいずれか一項記載の電気掃除機とすることにより、静音化を図り、環境に優しい電気掃除機を提供する。
【００６２】
本発明の請求項１６記載の発明は、本体ノズル部及び／またはハンドルに電源用電池を設けた請求項１〜１５のいずれか一項記載の電気掃除機とすることにより、電源コードがいらない使い勝手の良い電気掃除機を提供することができる。
【００６３】
本発明の請求項１７記載の発明は、掃除機の作業要素である電動送風機と、集塵箱ユニットと、回転ブラシとを本体ノズル部に集約し、ハンドルは前記本体ノズル部に結合された掃除機で、電源用電池と前記電動送風機を前記本体ノズルの左右に配列し、重量バランスを均等にして、持ち運び性、使用性を向上した電気掃除機を提供する。
【００６４】
本発明の請求項１８記載の発明は、電源用電池と前記電動送風機を前記本体ノズルの左右に配列し、前記集塵箱ユニットと前記回転ブラシとを略平行に配列した請求項１７記載の電気掃除機とすることにより、重量バランスを均等にして、持ち運び性、使用性を向上した電気掃除機を提供する。
【００６５】
本発明の請求項１９記載の発明は、本体ノズル部に電動送風機からの排気を吸込み室に排気する排気循環方式を構成した請求項１７または１８記載の電気掃除機とすることにより、静音化を図り、環境に優しい電気掃除機を提供する。
【００６６】
本発明の請求項２０記載の発明は、ハンドル及び本体ノズル部に電源用電池を設けた請求項１７〜１９のいずれか一項記載の電気掃除機とすることにより、電源コードがいらない使い勝手の良い電気掃除機を提供することができる。
【００６７】
本発明の請求項２１記載の発明は、電動送風機と、回転ブラシと、減速部とを本体ノズル部に集約し、前記電動送風機の回転を中間プーリーで減速させ、さらに、前記回転ブラシでもう一段減速する請求項１〜２０のいずれか一項記載の電気掃除機とすることにより、第二のモーターを無くし重量を低減し、使い勝手のよい電気掃除機を提供する。
【００６８】
【実施例】
（実施例１）
以下、本発明の実施例について、図面を参照しながら説明する。
【００６９】
図１から図１５に示すように、本体ノズル部４は、外郭を本体上部材６、本体下部材７、マド部２４、蓋２５、ベルトカバー２６、支持板６４で構成され、この内部に電動送風機１、集塵箱ユニット２、回転ブラシ３、安全装置１７、本体スイッチ１４、把手部２７を備えている。把手部２７にはアルミでできたハンドル５が着脱自在に取りつけられている。ハンドル５は、組み立て式で３本ないし４本のアルミパイプを結合してできている。また、ハンドル５の取っ手部２８は、使用者が握るところである。把手部２７と係合するハンドル５の嵌合体２９の中央には爪弾性体３０があり、把手部２７の孔部Ａ３１と合っている。
【００７０】
把手部２７の回動軸部３２の片側は、略Ｕの字形をしたバネ部材Ａ３３と合う足部が構成されている。回動軸部３２のもう一方は、本体スイッチ１４をスイッチ支持板３４に取りつけさらに、スイッチ支持板３４の孔部Ｂ３５に回動軸部３２が挿入されている。
【００７１】
回転ブラシ室８内には、回転ブラシ３が配され、このプーリー部３６を覆うようにベルトカバー２６がついている。電動送風機１の軸３７の片側にはファン３８が圧入嵌合で取りつけられ、軸３７のもう一端にはプーリーＡ３９が取りついている。このプーリーＡ３９は中間プーリー４０とベルトＡ４１でつながっており、中間プーリー４０とプーリー部３６とベルトＢ４２とでつながっている。
【００７２】
集塵箱ユニット２は、集塵箱本体１２とフィルターユニット１３により構成されている。また、集塵箱本体１２の吸気口４３はリブに囲まれており、吸込み室である回転ブラシ室８の吸塵口９と面で合うようになっている。
【００７３】
本体ノズル部４の前面にブラシＡ４４を、また、本体中央部の下面にブラシＢ４５を配している。また、後方にはローラー４６を備えている。
【００７４】
上記構成において動作を説明する。ハンドル５を９０度直立の状態から、ある一定の角度回動軸部３２を中心にして回転すると、本体スイッチ１４が入る状態になる。本体スイッチ１４が入ると、電動送風機１が回転を始め、この回転にともない中間プーリー４０を介して回転ブラシ３が回転する。回転ブラシ３によりかきあげられた塵埃は吸塵口９から吸気口４３を通ってフィルターユニット１３を通過せず集塵箱ユニット２内に集められる。フィルターユニット１３を通過した排気はフィルターＡ４７をも通過し、電動送風機１を通過してフィルターＢ４８を通過して回転ブラシ室８に排気する。ハンドル５を元の状態に戻すと運転は止まる。
【００７５】
電動送風機１は、本体上部材６と支持板６４により支持され、集塵箱ユニット２は、本体下部材７とマド部２４により支持されている。また、回転ブラシ３は、本体上部材６とベルトカバー２６により支持されている。このように電動送風機１、集塵箱ユニット２、回転ブラシ３の各々は、本体上部材６と別部品、あるいは、本体下部材７と別部材により支持されている。
【００７６】
上記構成において、補修を行う場合、電動送風機１が動作しないということであれば、電動送風機１を支えている支持板６４を外して電動送風機１を確認検討することができ、本体ノズル部４を止めているすべてのねじを外す事なく簡単に補修することができる。
【００７７】
また、本体上部材６、本体下部材７、支持板６４、マド部２４、ベルトカバー２６とが各々別部品となっているため、例えば、支持板６４に高剛性の材料を用いて支持力をアップさせたり、マド部２４やベルトカバー２６を透明材料を用いて外部から塵埃の溜まり具合やベルトカバー２６への髪の毛の侵入等を確認することができる等、それぞれの部品にそれぞれの特徴を持たせた構成をとることができる。
【００７８】
また、集塵箱ユニット２を本体ノズル部４の側面より引き出し方式で挿入する、引き出す際に、通常は簡単にしゅう動させることができるが、塵埃が集塵箱ユニット２と本体下部材７との間に入った場合等、動作が悪くなり、引き出すことができなくなる。この際に、マド部２４を外して集塵箱ユニット２を動かすことができ、塵埃の取り除き等の補修作業ができる。
【００７９】
また、回転ブラシ３は、本体上部材６とベルトカバー２６により支持されているのであるが、回転ブラシ３に髪の毛、あるいは、回転ブラシ３と吸塵口９の間に大きな塵埃が溜まった場合に、ベルトカバー２６を外すことにより、回転ブラシ３を外して髪の毛を取り払う、また、大きな塵埃を取り除く等の補修作業を容易に行うことができる。
【００８０】
上記構成にすることにより、補修がしやすく、品質のよい電気掃除機を提供することができるものである。
【００８１】
また、回転ブラシ３によりかきあげられた塵埃は吸塵口９から吸気口４３を通ってフィルターユニット１３を通過せず集塵箱ユニット２内に集められる。電動送風機１からの排気を本体ノズル部４から機外に排出する排気孔を持たず、フィルターユニット１３を通過した排気はフィルターＡ４７をも通過し、電動送風機１を通過してフィルターＢ４８を通過して回転ブラシ室８に排気する排気循環構成をとり、静音化を図り、環境に優しい電気掃除機を提供することができる。
【００８２】
また、図３、図１０、図１１に示すように、排気循環構成がある場合でも、排気循環構成がない場合でも、本体ノズル部４に電源用電池４９を設け、あるいは把手部２７に電源用電池４９を設ける、あるいは本体ノズル部４および把手部２７の両側に電源用電池４９を設けることにより、電源コードがいらない使い勝手の良い電気掃除機を提供することができる。
【００８３】
（実施例２）
上記実施例と同一構成部分には同一の符号を付して説明を省略する。
【００８４】
図１から図３、図９を用いて説明する。回転ブラシ室８内に回転ブラシ３を備え、回転ブラシ室８の壁に吸塵口９を設け、この吸塵口９と相対する吸気口４３を集塵箱ユニット２に形成し、この吸塵口９の位置を回転ブラシ３のプーリー部３６と反対の側面側に配置している。
【００８５】
この構成において動作を説明すると、回転ブラシ３によりかきあげられた塵埃は吸塵口９から吸気口４３を通って集塵箱ユニット２に塵埃を集める。通常回転ブラシ３の毛は、螺旋状になっており、回転ブラシ３の回転により、塵埃を吸塵口９に導く働きをしている。回転ブラシ３のプーリー部３６の近傍に吸塵口９を設けると、プーリー部３６に塵埃が侵入し、歯に塵埃が噛み込み、歯をつぶしたりして異常音の原因となるため吸塵口９はプーリー部３６と反対側に設けられている。さらに、塵埃は集塵箱ユニット２の低部に溜まり、掃除機本体を持ち運ぶ際に家具等に当て本体のロックが外れて本体ノズル部４が下方を向いても、塵埃が吸気口４３から吸塵口９を通ってこぼれにくいように、吸塵口９、および、吸気口４３の位置を中央より上方に構成することにより塵埃がこぼれにくくなっている。
【００８６】
上記構成にすることにより、品質が良く、ごみこぼれしにくい使い勝手の良い電気掃除機を提供することができる。
【００８７】
また、同様にして回転ブラシ３によりかきあげられた塵埃は吸塵口９から吸気口４３を通ってフィルターユニット１３を通過せず集塵箱ユニット２内に集められる。電動送風機１からの排気を本体ノズル部４から機外に排出する排気孔を持たず、フィルターユニット１３を通過した排気はフィルターＡ４７をも通過し、電動送風機１を通過してフィルターＢ４８を通過して回転ブラシ室８に排気する排気循環構成をとり、静音化を図り、環境に優しい電気掃除機を提供する。
【００８８】
また、図３、図１０、図１１に示すように、排気循環構成がある場合でも、排気循環構成がない場合でも、本体ノズル部４に電源用電池４９を設け、あるいは把手部２７に電源用電池４９を設ける、あるいは本体ノズル部４および把手部２７の両側に電源用電池４９を設けることにより、電源コードがいらない使い勝手の良い電気掃除機を提供することができる。
【００８９】
（実施例３）
上記実施例と同一構成部分には同一の符号を付して説明を省略する。
【００９０】
図１から図３、図１１、図１２を用いて説明する。構成を説明すると、充電台５０に接続される充電接続部５１は、本体ノズル部４の本体下部材７に充電端子５２と本体スイッチ１４を保持して取りつけられる。このとき、本体スイッチ１４は、充電接続部５１より突出しているピン５３に本体スイッチ１４の孔を合わせて止められている。充電接続部５１は、本体ノズル部４の本体下部材７と近接しており本体スイッチ１４の横への抜け防止を行っている。
【００９１】
上記構成において動作を説明すると、組み立て時には、充電接続部５１に充電端子５２と本体スイッチ１４を取りつけてユニットとして、本体ノズル部４の本体下部材７に係合させることで組立性を容易にしている。充電端子５２から出ているリードセン２１は、本体スイッチ１４へつながるもの、電源用電池４９につながるものがあり、複数のリードセン２１が交差しているが充電接続部５１で中継することにより、リードセン２１の処理を容易にし、組み立てやすく、リードセンのかみこみがない品質の良い電気掃除機を提供することができる。
【００９２】
また、図３、図１０、図１１に示すように、本体ノズル部４に電源用電池４９を設け、あるいは把手部２７に電源用電池４９を設ける、あるいは把手部２７および本体ノズル部４の両側に電源用電池４９を設けることにより、電源コードがいらない使い勝手の良い電気掃除機を提供することができる。
【００９３】
（実施例４）
上記実施例と同一構成部分には同一の符号を付して説明を省略する。
【００９４】
図１から図４を用いて説明する。構成を説明すると、本体ノズル部４内で、把手部２７を中心線として、右に電動送風機１を設け、左に電源用電池４９を設け、かつ、集塵箱ユニット２と、回転ブラシ３を有する回転ブラシ室８とが平行になるように左右方向に取りつける。
【００９５】
上記構成において動作を説明すると、本体ノズル部４の片側に重量物が片寄らず均等に重量を配置して、重量バランスをとり、カーペット上で片側が沈む、あるいは、片側が浮いてしまうということのない、また、操作するのに片側に曲がりやすく、反対に曲がりにくい等の現象が起こらないようにしている。
【００９６】
また、同様にして回転ブラシ３によりかきあげられた塵埃は吸塵口９から吸気口４３を通ってフィルターユニット１３を通過せず集塵箱ユニット２内に集められる。電動送風機１からの排気を本体ノズル部４から機外に排出する排気孔を持たず、フィルターユニット１３を通過した排気はフィルターＡ４７をも通過し、電動送風機１を通過してフィルターＢ４８を通過して回転ブラシ室８に排気する排気循環構成をとり、静音化を図り、環境に優しい電気掃除機を提供する。
【００９７】
また、図３、図１０、図１１に示すように、排気循環構成がある場合でも、排気循環構成がない場合でも、本体ノズル部４に電源用電池４９を設け、あるいは本体ノズル部４および把手部２７の両側に電源用電池４９を設けることにより、電源コードがいらない使い勝手の良い電気掃除機を提供することができる。
【００９８】
（実施例５）
上記実施例と同一構成部分には同一の符号を付して説明を省略する。
【００９９】
図１から図３、図８を用いて説明する。構成を説明すると、本体ノズル部４内の把手部２７の回動軸部３２の片側に略Ｕ字形の足部５４を形成し、本体上部材６に、バネ部材Ａ３３を配し、このバネ部材Ａ３３の凸部にＵ字形の足部５４のＵ字が合うように構成してあり、この回動軸部３２が上下動可能なように、本体ノズル部４の本体上部材６と、本体下部材７には半円でなくだ円の軸支持部６８が設けてある。
【０１００】
上記構成において動作を説明すると、本体スイッチ１４が把手部２７の回動により動作する構成で、軽い力で把手部２７を動作させるのに、回動軸部３２の略Ｕ字形足部５４がバネ部材Ａ３３の凸部に入っており、この凸部を略Ｕ字形足部５４が乗り越えることにより、本体スイッチ１４が押されて動作する。また、本体持ち運び時に、前記凸部と略Ｕ字形足部５４との係りが浅いと少ない衝撃でも、この凸部を略Ｕ字形足部５４が乗り越えるので本体スイッチ１４が動作する。このため、通常の位置では前記凸部と略Ｕ字形足部５４との係りが浅いが、製品を持ち上げると、製品の重さでこの回動軸部３２が上方へ移動し、このバネ部材Ａの凸部が略Ｕ字形足部５４へ食いこんで係りが深くなり、少々の衝撃では、前記凸部と略Ｕ字形足部５４は乗り越えず、本体スイッチ１４は入らない。つまり通常使用時には軽い力で把手部２７を動作させ、本体スイッチ１４のＯＮ−ＯＦＦを行い、製品を持ち運ぶ等する時は、把手部２７が容易に動作せず本体スイッチ１４がＯＮすることがなく、操作性が良く、使いやすい電気掃除機を提供することができる。
【０１０１】
また、図３、図１１に示すように、本体ノズル部４に電源用電池４９を設け、あるいは把手部２７に電源用電池４９を設ける、あるいは本体ノズル部４および把手部２７の両側に電源用電池４９を設けることにより、電源コードがいらない使い勝手の良い電気掃除機を提供することができる。
【０１０２】
（実施例６）
上記実施例と同一構成部分には同一の符号を付して説明を省略する。
【０１０３】
図１から図３、図７、図８を用いて説明する構成を説明すると、本体ノズル部４内の把手部２７の回動軸部３２の片側に略Ｕ字形の足部５４を形成し、本体上部材６に、バネ部材Ａ３３を配し、このバネ部材Ａ３３の凸部にＵ字形の足部５４のＵ字が合うように構成してあり、この回動軸部３２が上下動可能なように、本体ノズル部４の本体上部材６と、本体下部材７には半円でなくだ円の軸支持部６８が設けてある。さらに、本体ノズル部４の本体下部材７には、回動軸部３２を常に上方へ押し上げるバネ部材Ｂ５５を備えている。
【０１０４】
上記構成において動作を説明すると、本体スイッチ１４が把手部２７の回動により動作する構成で、軽い力で把手部２７を動作させるのに、回動軸部３２の略Ｕ字形足部５４がバネ部材Ａ３３の凸部に入っており、この凸部を略Ｕ字形足部５４が乗り越えることにより、本体スイッチ１４が押されて動作する。また、本体持ち運び時に、前記凸部と略Ｕ字形足部５４との係りが浅いと少ない衝撃でも、この凸部を略Ｕ字形足部５４が乗り越えるので本体スイッチ１４が動作する。このため、本体持ち運び時、つまりハンドル５が本体ノズル部４に対して垂直の位置では前記凸部と略Ｕ字形足部５４との係りを深くするため、本体ノズル部４の本体下部材７には、回動軸部３２を常に上方へ押し上げるバネ部材Ｂ５５を設け、このバネ部材Ｂ５５は、使用者が手をハンドル５にかけたときにつまり使用時にハンドル５を倒す動作をしようとした時、この重みで回動軸部３２を押し下げ、このバネ部材Ａの凸部が略Ｕ字形足部５４への係りを浅くして、前記凸部と略Ｕ字形足部５４が楽に乗り越るようにしたものである。このように通常使用時には軽い力で把手部２７を動作させることができ、製品を持ち運ぶ等する時は、把手部２７が容易に動作せず本体持ち運びをしやすくするものであり、操作性が良く、使いやすい電気掃除機を提供することができる。
【０１０５】
また、図３、図１１に示すように、本体ノズル部４に電源用電池４９を設け、あるいは把手部２７に電源用電池４９を設ける、あるいは本体ノズル部４および把手部２７の両側に電源用電池４９を設けることにより、電源コードがいらない使い勝手の良い電気掃除機を提供することができる。
【０１０６】
（実施例７）
上記実施例と同一構成部分には同一の符号を付して説明を省略する。
【０１０７】
図１から図３を用いて説明する構成を説明すると、電動送風機１と、集塵箱ユニット２と、回転ブラシ３とを本体ノズル部４に配し、電動送風機１のプーリーＡ３９と中間プーリー４０をつなぐベルトＡ４１、また、中間プーリー４０と回転ブラシ３をつなぐベルトＢ４２をベルト室５６にもち、電動送風機１の回転を伝達している。フィルターＢ４８を回転ブラシ室８に面して設けている。
【０１０８】
上記構成において動作を説明すると、回転ブラシ３によりかきあげられた塵埃は吸塵口９から吸気口４３を通ってフィルターユニット１３を通過せず集塵箱ユニット２内に集められる。電動送風機１からの排気を本体ノズル部４から機外に排出する排気孔を持たないため、フィルターユニット１３を通過した排気はフィルターＡ４７をも通過し、電動送風機１を通過してフィルターＢ４８を通過して回転ブラシ室８に排気する排気循環構成をとっている。このため、ベルト室５６を排気循環の通路として利用し、ベルト、プーリーには、排気を当てて塵埃が付着しないようにし、また、外部から塵埃が侵入しないようにしている。また、回転ブラシ３のある回転ブラシ室８に通路が面しているが、フィルターＢ４８を設けて回転ブラシ３にかきあげられた塵埃が侵入しないように防御している。また、ベルト室５６を排気循環通路としたため、ほかに排気循環通路を設ける必要がなく、集塵箱ユニット２の大きさ、容量を確保し、さらに、外観を大きくすることなくコンパクトにすることができる。
【０１０９】
本発明は、上記構成にすることにより、音の静かな、環境に優しい、軽量化を図った電気掃除機を提供する。
【０１１０】
また、図３、図１１に示すように、本体ノズル部４に電源用電池４９を設け、あるいは把手部２７に電源用電池４９を設ける、あるいは本体ノズル部４および把手部２７の両側に電源用電池４９を設けることにより、電源コードがいらない使い勝手の良い電気掃除機を提供することができる。
【０１１１】
（実施例８）
上記実施例と同一構成部分には同一の符号を付して説明を省略する。
【０１１２】
図１から図５を用いて説明する構成を説明すると、電動送風機１と、集塵箱ユニット２と、回転ブラシ３とを、本体ノズル部４に配し、ハンドル５を本体ノズル部４に結合し、本体ノズル部４の側面に開口部５７を設け、この開口部５７を集塵箱ユニット２のセット場所とし、集塵箱ユニット２を横引き出しの構成にした。
【０１１３】
上記構成において動作を説明すると、塵埃が集塵箱ユニット２に溜まると本体ノズル部４の側面に設けた開口部５７より集塵箱ユニット２を引き出し、中の塵埃を捨て、塵埃を捨てた後は集塵箱ユニット２開口部５７より挿入し、元の状態に入れる。
【０１１４】
上記構成にすることにより、集塵箱ユニット２の上面に取っ手を形成することなく、デザインを損ねず、集塵容量も確保した電気掃除機を提供することができる。
【０１１５】
また、図３、図１１に示すように、本体ノズル部４に電源用電池４９を設け、あるいは把手部２７に電源用電池４９を設け、あるいは本体ノズル部４および把手部２７の両側に電源用電池４９を設けることにより、電源コードがいらない使い勝手の良い電気掃除機を提供することができる。
【０１１６】
（実施例９）
上記実施例と同一構成部分には同一の符号を付して説明を省略する。
【０１１７】
図１から図３、図９を用いて説明する構成を説明すると、集塵箱ユニット２を本体ノズル部４内に配し、本体下部材７とマド部２４で囲んだ場所に、集塵箱ユニット２を横引き出し式に構成した。本体上部材６とマド部２４で構成してもよい。
【０１１８】
上記構成において動作を説明すると、本体下部材７とマド部２４とで囲まれた場所を構成するのは、本体正面からの衝撃によりこの囲まれた場所がリブのズレ等で動きにくくなるため、本体下部材７により構成し、マド部２４を付けることにより上面の補強を行い、集塵箱ユニット２の収納部や本体ノズル部４の剛性、強度アップを図ることができる。ここでは説明しないが本体上部材６とマド部２４で囲まれた場所を構成した場合も同様の効果が得られる。
【０１１９】
また、図１３に示すように、マド部２４に一個、もしくは、複数個の孔部５８を設け、製品上面から集塵箱ユニット２の内部が見えるようにして塵埃の溜り具合を確認することができ、使い勝手の良い電気掃除機を提供する。
【０１２０】
また、図３、図１６に示すように、集塵箱本体１２の下面にリブ６７を設け、本体下部材７に凸部６６を設けることにより、集塵箱１２を移動させて集塵箱１２を収納するのに、集塵箱のリブ６７が本体下部材７の凸部６６と当たり集塵箱１２が上方に押され、本体ノズル部４のマド部２４、及び、本体下部材７をたわませて、凸部６６を乗り越えることにより、集塵箱１２を収納することができ、集塵箱ユニット２の本体ノズル部４からの外れ防止を行い、使い勝手の良い電気掃除機を提供する。
【０１２１】
（実施例１０）
上記実施例と同一構成部分には同一の符号を付して説明を省略する。
【０１２２】
図１から図３を用いて説明する構成を説明すると、本体ノズル部４を前部の第一の外郭形状部５９と、後部の第二の外郭形状部６０に分け、第一の外郭形状部５９内に電動送風機１と集塵箱ユニット２と回転ブラシ３を備え、第二の外郭形状部６０に把手部２７と本体スイッチ１４を収め、把手部２７の回動にともない本体スイッチ１４を動作するもので、電動送風機１により吸排気を行いエアタイトの必要な部分を第一の外郭形状部５９に収め、塵埃が侵入してほしくない部分、また、使用者が操作するものを第二の外郭形状部６０に収めた。
【０１２３】
上記構成において、動作を説明すると、回転ブラシ３、集塵箱ユニット２、電動送風機１は、ある程度大きなものであり、小さくすると集塵性能に影響が出るものであり、これらを第一の外郭形状部５９に集め、この部分で集塵性能が出るようにし、それ以外の使用者が使う、操作する等使用性にまつわるものを第二の外郭形状部６０に集め、使いやすくかつ小さくコンパクトにして、正面から見たときのボリューム感を第一の外郭形状部５９だけにして小さくした。
【０１２４】
デザイン性を損なわない、使い勝手の良い電気掃除機を提供することができる。
【０１２５】
また、同様にして図３、図１１に示すように、本体ノズル部４に電源用電池４９を設け、あるいは把手部２７に電源用電池４９を設ける、あるいは本体ノズル部４および把手部２７の両側に電源用電池４９を設けることにより、電源コードがいらない使い勝手の良い電気掃除機を提供することができる。
【０１２６】
（実施例１１）
上記実施例と同一構成部分には同一の符号を付して説明を省略する。
【０１２７】
図１から図３、図１４を用いて説明する。構成を説明すると、把手部２７の上面に１つは、把手部２７を前方に倒して、本体ノズル部４の前方上面につながる面Ａ６１であり、他の面は、把手部２７を前方に倒して、本体の接地面と平行な面Ｂ６２である。
【０１２８】
上記構成において動作を説明すると、回転ブラシ３を交換、あるいは、補修作業を行うのに、本体を持ったままでは作業しにくいので、床面に設置するのに、面Ａ６１を床面に設置して作業をしやすくするためのものであり、また、面Ｂ６２は、把手部２７を傾けた状態で梱包したときに、接地面と平行になるようにして梱包才数を低減するものである。
【０１２９】
上記構成にすることにより、補修時の作業がやりやすくなることと、梱包才数を低減した電気掃除機を提供することができる。
【０１３０】
また、同様にして回転ブラシ３によりかきあげられた塵埃は吸塵口９から吸気口４３を通ってフィルターユニット１３を通過せず集塵箱ユニット２内に集められる。電動送風機１からの排気を本体ノズル部４から機外に排出する排気孔を持たず、フィルターユニット１３を通過した排気はフィルターＡ４７をも通過し、電動送風機１を通過してフィルターＢ４８を通過して回転ブラシ室８に排気する排気循環構成をとり、静音化を図り、環境に優しい電気掃除機を提供する。
【０１３１】
また、図３、図１０、図１１に示すように、排気循環構成がある場合でも、排気循環構成がない場合でも、本体ノズル部４に電源用電池４９を設け、あるいは把手部２７に電源用電池４９を設ける、あるいは本体ノズル部４および把手部２７の両側に電源用電池４９を設けることにより、電源コードがいらない使い勝手の良い電気掃除機を提供することができる。
【０１３２】
（実施例１２）
上記実施例と同一構成部分には同一の符号を付して説明を省略する。
【０１３３】
図１から図３、図１５を用いて説明する。構成を説明すると、把手部２７が回動することにより、本体スイッチ１４を入り切りする構成で、把手部２７が直立状態と水平に倒した状態で本体スイッチ１４が切り状態となり、直立状態から水平状態までの回動範囲内で本体スイッチ１４が入りとなる構成にしている。
【０１３４】
上記構成において動作を説明すると、本体スイッチ１４が把手部２７の回動により動作する構成で、使用時は、水平状態までは手が床面に当たらないため使用可能である。また、水平状態で本体スイッチ１４が切れるため、収納する際に、把手部２７を水平に倒してフラットの状態で壁にかけることができ、収納スペースが少なく、どこにでも収納できる。
【０１３５】
上記構成にすることにより、操作性が良く、収納スペースをとらない電気掃除機を提供することができる。
【０１３６】
また、同様にして回転ブラシ３によりかきあげられた塵埃は吸塵口９から吸気口４３を通ってフィルターユニット１３を通過せず集塵箱ユニット２内に集められる。電動送風機１からの排気を本体ノズル部４から機外に排出する排気孔を持たず、フィルターユニット１３を通過した排気はフィルターＡ４７をも通過し、電動送風機１を通過してフィルターＢ４８を通過して回転ブラシ室８に排気する排気循環構成をとり、静音化を図り、環境に優しい電気掃除機を提供する。
【０１３７】
また、図３、図１０、図１１に示すように、排気循環構成がある場合でも、排気循環構成がない場合でも、本体ノズル部４に電源用電池４９を設け、あるいは把手部２７に電源用電池４９を設ける、あるいは本体ノズル部４および把手部２７の両側に電源用電池４９を設けることにより、電源コードがいらない使い勝手の良い電気掃除機を提供することができる。
【０１３８】
（実施例１３）
上記実施例と同一構成部分には同一の符号を付して説明を省略する。
【０１３９】
図１から図３、図７、図８を用いて説明する。構成を説明すると、本体ノズル部４内の把手部２７の回動軸部３２の片側に略Ｕ字形の足部５４を形成し、本体上部材６に、バネ部材Ａ３３を配し、このバネ部材Ａ３３の凸部にＵ字形の足部５４のＵ字が合うように構成してあり、この回動軸部３２が上下動可能なように、本体ノズル部４の本体上部材６と、本体下部材７には半円でなくだ円の軸支持部６８が設けてある。さらに、本体ノズル部４の本体下部材７には、回動軸部３２を常に上方へ押し上げるバネ部材Ｂ５５を備えている。また、本体スイッチ１４は、回動軸部３２にスイッチ支持板３４とともに取りつけられ、回動軸部３２が上下動するのに合わせて、本体スイッチ１４も上下動する。また、本体下部材７からはスイッチ支持板３４を固定するためのリブＡ６３が設けてある。
【０１４０】
上記構成において動作を説明すると、本体スイッチ１４が把手部２７の回動により動作する構成で、軽い力で把手部２７を動作させるのに、回動軸部３２の略Ｕ字形足部５４がバネ部材Ａ３３の凸部に入っており、この凸部を略Ｕ字形足部５４が乗り越えることにより、本体スイッチ１４が押されて動作する。また、本体持ち運び時に、前記凸部と略Ｕ字形足部５４との係りが浅いと少ない衝撃でも、この凸部を略Ｕ字形足部５４が乗り越えるので本体スイッチ１４が動作する。このため、通常の位置では前記凸部と略Ｕ字形足部５４との係りを深くするため、本体ノズル部４の本体下部材７には、回動軸部３２を常に上方へ押し上げるバネ部材Ｂ５５を設け、このバネ部材Ｂ５５は、使用者が手をハンドル５にかけたときにこの重みで回動軸部３２を押し下げ、このバネ部材Ａ３３の凸部が略Ｕ字形足部５４への係りを浅くして、前記凸部と略Ｕ字形足部５４が楽に乗り越るようにしたものである。このとき、本体スイッチ１４は、回動軸部３２と同様の上下動をする。
【０１４１】
上記構成にすることにより、操作性の良く、使いやすい電気掃除機を提供する。
【０１４２】
また、同様にして回転ブラシ３によりかきあげられた塵埃は吸塵口９から吸気口４３を通ってフィルターユニット１３を通過せず集塵箱ユニット２内に集められる。電動送風機１からの排気を本体ノズル部４から機外に排出する排気孔を持たず、フィルターユニット１３を通過した排気はフィルターＡ４７をも通過し、電動送風機１を通過してフィルターＢ４８を通過して回転ブラシ室８に排気する排気循環構成をとり、静音化を図り、環境に優しい電気掃除機を提供することができる。
【０１４３】
また、図３、図１０、図１１に示すように、排気循環構成がある場合でも、排気循環構成がない場合でも、本体ノズル部４に電源用電池４９を設け、あるいは把手部２７に電源用電池４９を設ける、あるいは本体ノズル部４および把手部２７の両側に電源用電池４９を設けることにより、電源コードがいらない使い勝手の良い電気掃除機を提供することができる。
【０１４４】
（実施例１４）
上記実施例と同一構成部分には同一の符号を付して説明を省略する。
【０１４５】
図１から図３を用いて説明する。構成を説明すると、電動送風機１と、集塵箱ユニット２と、回転ブラシ３とを本体ノズル部４に配し、電動送風機１のプーリーＡ３９と中間プーリー４０をつなぐベルトＡ４１、また、中間プーリー４０と回転ブラシ３のプーリー部３６をつなぐベルトＢ４２をベルト室５６にもち、電動送風機１の回転を伝達している。排気フィルター２３を回転ブラシ室８に面して設けている。
【０１４６】
上記構成において動作を説明すると、電動送風機１が回転することにより、ベルトＡ４１により、中間プーリー４０が回転し、この回転をベルトＢ４２により回転ブラシ３に伝達して塵埃を掃除面よりかきあげる。
【０１４７】
上記構成にすることにより、第二のモーターを廃止し、軽量化を図った電気掃除機を提供することができる。
【０１４８】
また、同様にして回転ブラシ３によりかきあげられた塵埃は吸塵口９から吸気口４３を通ってフィルターユニット１３を通過せず集塵箱ユニット２内に集められる。電動送風機１からの排気を本体ノズル部４から機外に排出する排気孔を持たず、フィルターユニット１３を通過した排気はフィルターＡ４７をも通過し、電動送風機１を通過してフィルターＢ４８を通過して回転ブラシ室８に排気する排気循環構成をとり、静音化を図り、環境に優しい電気掃除機を提供する。
【０１４９】
また、図３、図１０、図１１に示すように、排気循環構成がある場合でも、排気循環構成がない場合でも、本体ノズル部４に電源用電池４９を設け、あるいは把手部２７に電源用電池４９を設ける、あるいは本体ノズル部４および把手部２７の両側に電源用電池４９を設けることにより、電源コードがいらない使い勝手の良い電気掃除機を提供することができる。
【０１５０】
【発明の効果】
本発明の請求項１記載の発明によれば、掃除機の作業要素である電動送風機と、集塵箱ユニットと、回転ブラシとを本体ノズル部に集約し、ハンドルは前記本体ノズル部に結合されている掃除機で、前記本体ノズル部の本体上部材、もしくは、本体下部材の一部を別部品にて構成し、前記掃除機の作業要素を前記本体ノズル部の本体上部材、もしくは、本体下部材と別部品により支持するようにし、すべてのねじを外す事なく回転ブラシを交換することができ、電動送風機のチェック補修ができ、補修性を向上させた電気掃除機を提供する。
【０１５１】
本発明の請求項２記載の発明によれば、掃除機の作業要素である電動送風機と、集塵箱ユニットと、回転ブラシなどを有する吸塵口とを本体ノズル部に集約し、ハンドルは前記本体ノズル部に結合されている掃除機で、回転ブラシ室から塵埃を前記集塵箱ユニットへ導くための吸込口を、回転ブラシ室の反ベルト側で前記集塵箱ユニットの高さ方向に対して略中央より上方に構成し、集塵箱ユニットを取り出して塵埃を捨てるまでで塵埃こぼれが少なく、また、本体持ち運び時での塵埃こぼれも無く、使い勝手がよく、また、性能の向上した電気掃除機を提供する。
【０１５２】
本発明の請求項３記載の発明によれば、把手部の上面に、少なくとも２つの面を構成し、一方の面は、把手部を本体前方に倒した時に、本体ノズル前方上面につながる面であり、他方の面は、前記把手部を倒した時に、接地面と平行な平面を設け、補修時には、本体ノズル前方上面につながる面を接地するため、本体ノズル部が角度を持ち補修がしやすく、かつ、梱包時には、把手部が接地面と平行になるまで傾くため梱包才数を低減した電気掃除機を提供する。
【０１５３】
本発明の請求項４記載の発明によれば、把手部を回動させて、本体スイッチを入りきりする電気掃除機で、本体をフラット状態もしくは、それ以上に倒すと本体スイッチが切れ、収納する時には、本体をフラット状態にして壁に掛けることにより、収納時のスペースを低減した電気掃除機を提供する。
【０１５４】
本発明の請求項５記載の発明によれば、把手部の回動軸部にスイッチを設け、把手部を回動することにより、回動軸部を上下動させ、さらに、スイッチを動作させ使用性の向上した電気掃除機を提供する。
【０１５５】
本発明の請求項６記載の発明によれば、掃除機の作業要素である電動送風機と、集塵箱ユニットと、回転ブラシとを本体ノズル部に集約し、ハンドルは前記本体ノズル部に結合されている掃除機で、充電接続部に端子、スイッチを組込み本体横壁でスイッチの抜け止めをし、組み立て性の向上を図った電気掃除機を提供する。
【０１５６】
本発明の請求項７記載の発明によれば、集塵機構を有する本体ノズル部に、回動自在に取りつけた把手部の軸支持部に、上下方向のガタをもたせ、本体内上部に構成されたバネ部材Ａと把手部の足部を係合させ本体に対して前記把手部を支持し、把手部のロック力を向上させ、かつ、使用時に本体ノズル部が持ち上がらない使い勝手のよい電気掃除機を提供する。
【０１５７】
本発明の請求項８記載の発明によれば、把手部の足部に常に下方より上方に力を加えるバネ部材Ｂを設け、把手部を上方に押し上げ、把手部の足部にバネ部材Ａが入りこみ、把手部のぐらつきをなくし、安定性がよく、使い勝手のよい電気掃除機を提供する。
【０１５８】
本発明の請求項９記載の発明によれば、電動送風機と、回転ブラシとを備え、前記電動送風機と、前記回転ブラシをつなぐベルトを配設したベルト室を排気通路とし、排気を機外に出す事なく本体内を循環させることにより、静かで、環境にやさしい電気掃除機を提供する。
【０１５９】
本発明の請求項１０記載の発明によれば、掃除機の作業要素である電動送風機と、集塵箱ユニットと、回転ブラシとを本体ノズル部に集約し、前記本体ノズル部にハンドルを結合した掃除機で、前記集塵箱ユニットを本体の側方に設けた開口部より引き出し自在に配し、集塵箱ユニットの上面に取っ手を形成することなく、デザインを損ねず、集塵容量も確保した電気掃除機を提供する。
【０１６０】
本発明の請求項１１記載の発明によれば、前記集塵箱ユニットを集塵箱本体と、集塵箱本体に着脱自在に取りつけられるフィルターユニットとで構成し、この集塵箱ユニットを覆う形で本体ノズル部上面にマド部を設け、前記マド部と本体下部材もしくは本体上部材とで囲まれた部屋に集塵箱ユニットを引き出し式に取りつけ、前記マド部材で開口部を補強し、強度アップを図った電気掃除機を提供する。
【０１６１】
本発明の請求項１２記載の発明によれば、マド部に１個、もしくは、複数個の孔部を設けたことにより、塵埃の溜り具合を確認することができ、使い勝手の良い電気掃除機を提供する。
【０１６２】
本発明の請求項１３記載の発明によれば、本体下部部材に凸部を設け、集塵箱ユニット下面に前記凸部に対したリブを配し、集塵箱ユニットのロック構成を設けたことにより、集塵箱ユニットの本体ノズル部からの外れを防止し、使い勝手の良い電気掃除機を提供する。
【０１６３】
本発明の請求項１４記載の発明によれば、電動送風機と、集塵箱ユニットと、回転ブラシを第一の外郭形状部に設け、ハンドルと、スイッチなどを第二の外郭形状部に収め、前記ハンドルの回動にともないスイッチを入りきりするもので、ハンドルの回動軸の何れか一方でスイッチを動作し、他方でハンドルのロック構成を形成し、電動送風機により吸排気を行いエアタイトの必要な部分と、塵埃が侵入してほしくない部分に分け、かつ、スイッチの入り切りと表示部、および補修性を向上した電気掃除機を提供する。
【０１６４】
本発明の請求項１５記載の発明によれば、本体ノズル部に電動送風機からの排気を吸込み室に排気する排気循環方式を構成した請求項１〜６のいずれか一項記載の電気掃除機とすることにより、静音化を図り、環境に優しい電気掃除機を提供する。
【０１６５】
本発明の請求項１６記載の発明によれば、本体ノズル部及び／またはハンドルに電源用電池を設けた請求項１〜１５のいずれか一項記載の電気掃除機とすることにより、電源コードがいらない使い勝手の良い電気掃除機を提供することができる。
【０１６６】
本発明の請求項１７記載の発明によれば、掃除機の作業要素である電動送風機と、集塵箱ユニットと、回転ブラシとを本体ノズル部に集約し、ハンドルは前記本体ノズル部に結合されている掃除機で、電池と前記電動送風機を前記本体ノズルの左右に配列し、重量バランスを均等にして、持ち運び性、使用性を向上した電気掃除機を提供する。
【０１６７】
本発明の請求項１８記載の発明によれば、電池と前記電動送風機を前記本体ノズル部の左右に配列し、前記集塵箱ユニットと前記回転ブラシとを略平行に配列し、請求項１７記載の電気掃除機とすることにより、重量バランスを均等にして、持ち運び性、使用性を向上した電気掃除機を提供する。
【０１６８】
本発明の請求項１９記載の発明によれば、本体ノズル部の電動送風機からの排気を回転ブラシ室に排気する排気循環方式を構成した請求項１７、および１８記載の電気掃除機とすることにより、静音化を図り、環境に優しい電気掃除機を提供することができる。
【０１６９】
本発明の請求項２０記載の発明によれば、ハンドル及び本体ノズル部に電源用電池を設けた請求項１７〜１９記載の電気掃除機とすることにより、電源コードがいらない使い勝手の良い電気掃除機を提供することができる。
【０１７０】
本発明の請求項２１記載の発明によれば、電動送風機と、回転ブラシと、減速部とを本体ノズル部に集約し、前記電動送風機の回転を減速部で減速させ、さらに、前記回転ブラシでもう一段減速する請求項１〜２０記載の電気掃除機とすることにより、第二のモーターを無くし重量を低減し、使い勝手のよい電気掃除機を提供する。
【図面の簡単な説明】
【図１】
本発明の実施例を示す電気掃除機の斜視図
【図２】
同電気掃除機の底面図
【図３】
同電気掃除機の横断面図
【図４】
同電気掃除機の側面図
【図５】
同電気掃除機の集塵箱の斜視図
【図６】
同電気掃除機の要部断面図
【図７】
同電気掃除機の要部断面図
【図８】
同電気掃除機の要部断面図
【図９】
同電気掃除機の要部断面図
【図１０】
同電気掃除機の横断面図
【図１１】
同電気掃除機の縦断面図
【図１２】
同電気掃除機の要部斜視図
【図１３】
同電気掃除機の斜視図
【図１４】
同電気掃除機の側面図
【図１５】
同電気掃除機の側面図
【図１６】
同電気掃除機の断面図
【図１７】
従来の電気掃除機の斜視図
【図１８】
同電気掃除機の断面図
【符号の説明】
１    電動送風機
２    集塵箱ユニット
３    回転ブラシ
４    本体ノズル部
５  ハンドル
６    本体上部材
７    本体下部材
８    回転ブラシ室
９    吸塵口
１３  フィルターユニット
１４  本体スイッチ
１８  電源用電池
５１  充電接続部
２７  把手部
３２  回動軸部
３３  バネ部材Ａ
５２  充電端子
５４  足部
５５  バネ部材Ｂ
５６  ベルト室
５７  開口部
５８  孔部
５９  第一の外部形状
６０  第二の外部形状
６６  凸部
６７  リブ
６８  軸支持部
【手続補正２】
【補正対象書類名】図面
【補正対象項目名】図２
【補正方法】変更
【補正の内容】
【図２】
2001321299.tif 000001
【手続補正３】
【補正対象書類名】図面
【補正対象項目名】図３
【補正方法】変更
【補正の内容】
【図３】
2001321299.tif 000002
【手続補正４】
【補正対象書類名】図面
【補正対象項目名】図１０
【補正方法】変更
【補正の内容】
【図１０】
2001321299.tif 000003